(57)【要約】【課題】スタンバイモードの解除・復帰時における、ポップ音を防止すると共に、製造コストと実装面積の増大を防止して、しかも、消費電力も抑制する。【解決手段】  「音響信号出力回路１からの音響信号を音響出力手段に出力させない音響ミュート回路」と、「音響ミュート回路４に、音響ミュート回路４を作動させるミュート信号を出力する音響ミュート駆動回路５」と、「スタンバイモード時にも給電され、音声ミュート駆動回路５に給電する音響ミュート電源回路６」と、「スタンバイモード時にも給電され、スタンバイモードの解除時に、音響信号出力回路１への給電前に、音響ミュート駆動回路５と音響ミュート電源回路６により、音響ミュート回路４を作動させ、スタンバイモードへの復帰時に、音響信号出力回路１への給電停止後に、音響ミュート回路４の作動を停止させるシステムコントローラ８」が備えられている。【選択図】  図１
2007336310.tif 000002
【特許請求の範囲】
【請求項１】
スタンバイモード時に、音響信号出力回路への給電が停止され、
スタンバイモードの解除時に、音響信号出力回路に給電され、
音響信号出力回路からの音響信号を音響出力手段に出力させない音響ミュート回路が備えられたものにおいて、
スタンバイモード時にも給電され、スタンバイモードの解除時に、音響信号出力回路  への給電前に、音響ミュート回路を作動させ、スタンバイモードへの復帰時に、音響信  号出力回路への給電停止後に、音響ミュート回路の作動を停止させる制御手段
が備えられた音響ミュート回路の制御装置。
【請求項２】
Ａ．音響ミュート回路に、音響ミュート回路を作動させるミュート信号を出力する音響    ミュート駆動回路と、
Ｂ．スタンバイモード時にも給電され、音声ミュート駆動回路に給電する音響ミュート    電源回路
を有し、
上記両回路が制御手段により制御される請求項１記載の音響ミュート回路の制御装置。
【請求項３】
スタンバイモード時にも給電され、制御手段により制御されて、音響ミュート回路に  、音響ミュート回路を作動させるミュート信号を出力する音響ミュート駆動回路
を有する請求項１記載の音響ミュート回路の制御装置。
【発明の詳細な説明】
【技術分野】
【０００１】
本発明は、オーディオ・ビジュアル機器（ＡＶ機器）等の音声ミュート回路の制御装置に関する。
【背景技術】
【０００２】
ＡＶ機器では、通常、音響信号出力回路からの音響信号を音響出力手段に出力させない音響ミュート回路が備えられて、メイン電源のオン・オフ時に、ポップ音がスピーカ等の音響出力手段から出力されないようにされている（例えば、特許文献１参照）。
【０００３】
又、ＡＶ機器では、スタンバイモード時に、音響信号出力回路への給電を停止し、スタンバイモードの解除時に、音響信号出力回路に給電するようにして、消費電力を抑制しているが、更に、消費電力を抑制するために、スタンバイモード時に、音響ミュート回路への給電を停止し、スタンバイモードの解除時に、音響ミュート回路に給電するようにしたものもある。
【０００４】
然しながら、このように、音響ミュート回路への給電を停止した場合には、音響信号出力回路用の電源（以下、アンプ部分の電源を含む電源のこととする）をオン・オフして、音響信号出力回路への給電や給電を停止した際に、この給電や給電の停止の過渡応答区間で、音響信号出力回路から、ポップ音を発生させる音響信号が出力されることがある。
【０００５】
このポップ音の出力を抑制するために、従来においては、スタンバイモードの解除時に、音響ミュート回路を音響信号出力回路よりも早く立ち上げるための専用電源を用意したり、或いは、スタンバイモードへの復帰時に、音響ミュート回路用の電源を、ダイオードとコンデンサから成る回路で貯めたりして、アナログ的に対処することで、音響ミュート回路への給電停止時にも、音響ミュート回路を作動させるようにしていた。
【０００６】
然しながら、上記従来においては、出力回路数の増大に従って、回路規模がどうしても大きくなり、製造コストも、実装面積も増大するとの問題が発生していた。又、時間管理が、アナログ的な時定数に殆ど依存することになるので、スタンバイモードの解除・復帰の繰り返しにより、ポップ音が出力される等の不安定動作となることがあるとの問題もあった。
【０００７】
これを解決するために、スタンバイモード時にも、音響ミュート回路に給電して、音響ミュート回路を作動させ続けることも考えられる。このようにすれば、スタンバイモードの解除・復帰の繰り返しを行っても、ポップ音が出力されることはないが、消費電力が増大するという欠点がある。
【０００８】
【特許文献１】特開２００５−６４６５１号公報
【発明の開示】
【発明が解決しようとする課題】
【０００９】
本発明は、スタンバイモードの解除・復帰時に、ポップ音が出力されることを確実に防止できると共に、製造コストも、実装面積も増大せず、しかも、消費電力も抑制できる音響ミュート回路の制御装置を提供することを目的とする。
【課題を解決するための手段】
【００１０】
上記目的を達成するために、本発明の音響ミュート回路の制御装置の特徴とするところは、スタンバイモード時に、音響信号出力回路への給電が停止され、スタンバイモードの解除時に、音響信号出力回路に給電され、音響信号出力回路からの音響信号を音響出力手段に出力させない音響ミュート回路が備えられたものにおいて、スタンバイモード時にも給電され、スタンバイモードの解除時に、音響信号出力回路への給電前に、音響ミュート回路を作動させ、スタンバイモードへの復帰時に、音響信号出力回路への給電停止後に、音響ミュート回路の作動を停止させる制御手段が備えられた点にある。
尚、Ａ．音響ミュート回路に、音響ミュート回路を作動させるミュート信号を出力する音響ミュート駆動回路と、Ｂ．スタンバイモード時にも給電され、音声ミュート駆動回路に給電する音響ミュート電源回路を有し、上記両回路が制御手段により制御されることもある。
又、スタンバイモード時にも給電され、制御手段により制御されて、音響ミュート回路に、音響ミュート回路を作動させるミュート信号を出力する音響ミュート駆動回路を有することもある。
【発明の効果】
【００１１】
本発明によれば、スタンバイモードの解除・復帰時に、ポップ音が出力されることを確実に防止できる。又、スタンバイモードの解除時に、音響ミュート回路を音響信号出力回路よりも早く立ち上げるための専用電源を用意したり、或いは、スタンバイモードへの復帰時に、音響ミュート回路用の電源を、ダイオードとコンデンサから成る回路で貯めたりする必要がない。従って、回路規模を小さく簡易なものとでき、製造コスト及び実装面積の増大も防止できる。又、時間管理を制御手段により行って、アナログ的な時定数に依存しておらず、スタンバイモードの解除・復帰の繰り返しにより、ポップ音が出力される等の不安定動作が発生することも防止できる。又、スタンバイモード時にも、音響ミュート回路に給電して、音響ミュート回路を作動させ続けていないので、消費電力も小さくできる。
【発明を実施するための最良の形態】
【００１２】
〔実施の形態の第１例〕
以下、本発明をオーディオ機器に適用した実施の形態の第１例を図１〜図６の図面に基づき説明すると、図１及び図２において、オーディオ機器は、音響信号出力回路１と、アンプ２と、出力端子３と、音響ミュート回路４と、音響ミュート駆動回路５と、音響ミュート電源回路６と、電源スイッチ回路７と、システムコントローラ８等を有する。
【００１３】
音響信号出力回路１はＤＡ（デジタルアナログ）コンバータ等を有し、スタンバイモード時に給電（電源供給）を停止されるもので、音響ソースからの入力信号を受けて、処理した音響信号を、バッファ、フィルター等を含むアンプ２、電解コンデンサＣ１、抵抗Ｒ１を介して、出力端子３に出力し、この出力端子３に、スピーカ等の音響出力手段が接続される。
【００１４】
音響ミュート回路４は、音響信号出力回路１からの音響信号を音響出力手段に出力させないようにする（無音状態とする）もので、ＮＰＮ型トランジスタＱ１を有し、そのコレクタが、抵抗Ｒ１と出力端子３の接続点に接続され、エミッタが接地されている。
【００１５】
音響ミュート駆動回路５は、音響ミュート回路４にミュート信号を供給して、音響ミュート回路４をオン操作（作動）させるもので、ＰＮＰ型の第１トランジスタＱ２と、抵抗内蔵タイプのＮＰＮ型の第２トランジスタＱ３と、抵抗を有する。尚、ミュート信号がハイレベルの時に、音響ミュート回路４が作動する。第１トランジスタＱ２のコレクタは、抵抗Ｒ２を介して、音響ミュート回路４のトランジスタＱ１のベースに接続され、第１トランジスタＱ２のベースは、抵抗Ｒ３を介して、第２トランジスタＱ３のコレクタに接続されている。第１トランジスタＱ２と抵抗Ｒ３の接続点は、第１トランジスタＱ２のエミッタと抵抗Ｒ４を介して接続されている。又、第１トランジスタＱ２のエミッタには、電解コンデンサＣ２の＋極が接続され、電解コンデンサＣ２の−極及び第２トランジスタＱ３のエミッタは接地されている。
【００１６】
音響ミュート電源回路６は、抵抗内蔵タイプのＮＰＮ型トランジスタＱ４を有して、スタンバイモード時にも（常時）給電されるもので、そのエミッタが音響ミュート回路４の第１トランジスタＱ２のエミッタに接続され、コレクタがメイン電源と接続されている。
【００１７】
電源スイッチ回路７はメイン電源に接続されて、音響信号出力回路１、アンプ２、その他の装置に対して、給電・給電の停止を行うと共に、音響ミュート駆動回路５の第１トランジスタＱ２と抵抗Ｒ２の接続点に、抵抗Ｒ５を介して、負電圧の供給・停止を行う。
【００１８】
システムコントローラ８（制御手段、マイコン、制御装置）は、中央処理回路（ＣＰＵ）（図示省略）と、制御プログラムが記憶されているリードオンリーメモリ（ＲＯＭ）（図示省略）と、処理に際して必要な変数等を記憶するランダムアクセスメモリ（ＲＡＭ）（図示省略）等を有し、メイン電源からスタンバイモード時にも（常時）給電されている。システムコントローラ８は、音響ミュート駆動回路５の第２トランジスタＱ３のベース、音響ミュート電源回路６のトランジスタＱ４のベース及び電源スイッチ回路７にミュート制御信号、タイミング制御信号、電源制御信号をそれぞれ出力する。
【００１９】
次に、オーディオ機器の制御のフローチャートについて、図３〜図５に基づき説明する。
【００２０】
まず、図３において、メイン電源がオン操作されると、ステップＳ１では、システムコントローラ８からのタイミング制御信号、ミュート制御信号により、音響ミュート電源回路６及び音響ミュート駆動回路５がオン操作され、ミュート信号が音響ミュート回路４に出力されて、音響ミュート回路４がオン操作され、音響信号出力回路１からの音響信号が音響出力手段に出力されない状態となって、ステップＳ２に移る。
【００２１】
ステップＳ２では、上記状態からシステムコントローラ８のタイマーがスタートして、経過時間ｔｓがスタートし、ステップＳ３に移る。ステップＳ３では、経過時間ｔｓが計測されて、ステップＳ４に移る。ステップＳ４では、システムコントローラ８により、経過時間ｔｓと第１設定時間ｔ１が比較され、経過時間ｔｓが第１設定時間ｔ１と同じか、第１設定時間ｔ１よりも大であると、ステップＳ５に移り、そうでない場合には、ステップＳ３に戻る。
【００２２】
ステップＳ５では、システムコントローラ８からのタイミング制御信号、ミュート制御信号の出力が停止されて、音響ミュート電源回路６及び音響ミュート駆動回路５がオフ操作され、音響ミュート回路４へのミュート信号の出力が停止されて、音響ミュート回路４がオフ操作され、スタンバイモードとなる。
【００２３】
図４において、スタンバイモードが解除されると、ステップＳ１では、システムコントローラ８からのタイミング制御信号、ミュート制御信号により、音響ミュート電源回路６及び音響ミュート駆動回路５がオン操作されて、音響ミュート回路４がオン状態となり、音響信号出力回路１からの音響信号が音響出力手段に出力されない状態となり、ステップＳ２に移る
【００２４】
ステップＳ２では、上記状態からシステムコントローラ８のタイマーがスタートして、経過時間ｔｓがスタートし、ステップＳ３に移る。ステップＳ３では、経過時間ｔｓが計測されて、ステップＳ４に移る。ステップＳ４では、システムコントローラ８により、経過時間ｔｓと第２設定時間ｔ２が比較され、経過時間ｔｓが第２設定時間ｔ２と同じか、第２設定時間ｔ２よりも大であると、ステップＳ５に移り、そうでない場合には、ステップＳ３に戻る。
【００２５】
ステップＳ５では、システムコントローラ８からの電源制御信号により、電源スイッチ回路７が操作されて、ステップＳ６に移る。ステップＳ６では、電源スイッチ回路７から音響信号出力回路１及びアンプ２に給電されて、各回路の初期化処理が行われると共に、各回路の動作が開始され、音響信号出力回路１からの音響信号が音響出力手段に出力可能とされて、音響再生可能となる。
【００２６】
図５において、スタンバイモードに復帰すると、ステップＳ１で、システムコントローラ８から音響ミュート駆動回路５にミュート制御信号が出力されているか、否かが判断される。ＹＥＳであれば、ステップＳ３に移り、ＮＯであれば、ステップＳ２に移る。ステップＳ２では、システムコントローラ８から音響ミュート駆動回路５にミュート制御信号が出力されて、ステップＳ３に移る。
【００２７】
ステップＳ３では、音響信号出力回路１、アンプ２等の各回路の停止処理が行われて、ステップＳ４に移る。ステップＳ４では、システムコントローラ８から電源スイッチ回路７に電源制御信号の出力が停止されて、音響信号出力回路１、アンプ２等への給電が停止され、ステップＳ５に移る。
【００２８】
ステップＳ５では、上記状態からシステムコントローラ８のタイマーがスタートして、経過時間ｔｓがスタートし、ステップＳ６に移る。ステップＳ６では、経過時間ｔｓが計測されて、ステップＳ７に移る。ステップＳ７では、システムコントローラ８により、経過時間ｔｓと第３設定時間ｔ３が比較され、経過時間ｔｓが第３設定時間ｔ３と同じか、第３設定時間ｔ３よりも大であると、ステップＳ８に移り、そうでない場合には、ステップＳ６に戻る。
【００２９】
ステップＳ８では、システムコントローラ８からのタイミング制御信号及びミュート制御信号の出力が停止されて、音響ミュート電源回路６及び音響ミュート駆動回路５がオフ操作され、スタンバイモードに復帰する。
【００３０】
次に、図６に示す波形図に基づき具体的に説明すると、メイン電源がオンされると、音響ミュート電源回路６のトランジスタＱ４のコレクタ及びシステムコントローラ８に電源が供給されて、システムコントローラ８が立ち上がる。そして、システムコントローラ８からのタイミング制御信号及びミュート制御信号が、それぞれ、音響ミュート電源回路６のトランジスタＱ４及び音響ミュート駆動回路５の第２トランジスタＱ３のベースに出力されて、これらトランジスタＱ３，Ｑ４がオン状態となる。これにより、音響ミュート駆動回路５の第１トランジスタＱ２のベースに通電され、第１トランジスタＱ２がオン状態となって、第１トランジスタＱ２からハイレベルのミュート信号が音響ミュート回路４のトランジスタＱ１のベースに通電され、トランジスタＱ１がオン状態となる。
【００３１】
ところで、メイン電源のオン操作時には、その過渡応答区間で、電源スイッチ回路７から音響信号出力回路１及びアンプ２に出力されたパルスにより、音響信号出力回路１等からポップ音となる音響信号が出力されることがある。しかし、上記のように、音響ミュート回路４がオン状態となっているので、この音響信号は、グラウンドに流れて、出力端子３には流れない。それ故、スピーカ等の音響出力手段からポップ音が出力されることはない。
【００３２】
メイン電源がオンされてから第１設定時間ｔ１が経過すると、システムコントローラ８からの音響ミュート電源回路６のトランジスタＱ４及び音響ミュート駆動回路５の第２トランジスタＱ３の各ベースへのタイミング制御信号及びミュート制御信号の出力が停止されて、これらトランジスタＱ３，Ｑ４がオフ状態となる。これにより、音響ミュート駆動回路５の第１トランジスタＱ２がオフ状態となり、音響ミュート駆動回路５から音響ミュート回路４のトランジスタＱ１のベースに出力されるミュート信号はローレベルとなって、トランジスタＱ１がオフ状態となり、スタンバイモードとなる。
【００３３】
そして、スタンバイモードが解除されると、第２設定時間ｔ２の時間内に、上記同様に、システムコントローラ８からのタイミング制御信号及びミュート制御信号が、それぞれ、音響ミュート電源回路６のトランジスタＱ４及び音響ミュート駆動回路５の第２トランジスタＱ３のベースに出力されて、これらトランジスタＱ３，Ｑ４がオン状態となる。これにより、音響ミュート駆動回路５の第１トランジスタＱ２のベースに通電され、第１トランジスタＱ２がオン状態となって、第１トランジスタＱ２からハイレベルのミュート信号が音響ミュート回路４のトランジスタＱ１のベースに通電され、トランジスタＱ１がオン状態となる。
【００３４】
第２設定時間ｔ２が経過すると、システムコントローラ８からの電源制御信号が電源スイッチ回路７に出力され、電源スイッチ回路７から音響信号出力回路１及びアンプ２に給電されて、音響信号出力回路１及びアンプ２が立ち上がり、音響信号を出力可能となる。
【００３５】
ところで、音響信号出力回路１及びアンプ２が立ち上がる過渡応答区間では、音響信号出力回路１等からポップ音となる音響信号が出力されることがある。しかし、上記のように、音響ミュート回路４がオン状態となっているので、この音響信号は、グラウンドに流れて、出力端子３には流れない。それ故、スピーカ等の音響出力手段からポップ音が出力されることはない。
【００３６】
オーディオ再生時には、システムコントローラ８からの音響ミュート駆動回路５の第２トランジスタＱ３のベースへのミュート制御信号の供給が停止されて、第２トランジスタＱ３がオフ状態となる。これにより、音響ミュート駆動回路５の第１トランジスタＱ２がオフ状態となる。
【００３７】
又、システムコントローラ８から電源スイッチ回路７に電源制御信号が出力された時に、電源スイッチ回路７から音響ミュート回路４のトランジスタＱ１のベースに抵抗Ｒ５を介して負電圧が供給されているので、第１トランジスタＱ２がオフ状態になると、トランジスタＱ１のベースに負電圧が印可される。これにより、音響ミュート回路４のトランジスタＱ１が急速（瞬時）にオフ状態となる。これによって、音響信号出力回路１は音響信号を、アンプ２、出力端子３を介して、スピーカ等の音響出力手段に出力して、従来同様のオーディオ再生が行われる。
【００３８】
スタンバイモードに復帰する場合には、第３設定時間ｔ３の時間内に、システムコントローラ８からの電源制御信号の出力が停止されて、電源スイッチ回路７からの音響信号出力回路１及びアンプ２への給電が停止される。
【００３９】
第３設定時間ｔ３が経過すると、システムコントローラ８からの音響ミュート電源回路６のトランジスタＱ４及び音響ミュート駆動回路５の第２トランジスタＱ３の各ベースへのタイミング制御信号及びミュート制御信号の出力が停止されて、これらトランジスタＱ３，Ｑ４がオフ状態となる。これにより、音響ミュート駆動回路５の第１トランジスタＱ２がオフ状態となり、音響ミュート駆動回路５から音響ミュート回路４のトランジスタＱ１のベースに供給されるミュート信号はローレベルとなって、トランジスタＱ１がオフ状態となり、スタンバイモードに復帰する。
【００４０】
ところで、音響信号出力回路１及びアンプ２への給電が停止される過渡応答区間では、音響信号出力回路１等からポップ音となる音響信号が出力されることがある。しかし、上記のように、音響信号出力回路１及びアンプ２への給電が完全に停止してから、音響ミュート回路４がオフ状態となるので、上記音響信号は、グラウンドに流れて、出力端子３には流れない。それ故、スピーカ等の音響出力手段からポップ音が出力されることはない。
【００４１】
メイン電源がオフ操作された際には、電解コンデンサＣ２から音響ミュート駆動回路５の第１トランジスタＱ２のベースに放電電流が流れて、トランジスタＱ２が一定時間オン状態となり、音響ミュート駆動回路５からのミュート信号がハイレベルとなって、音響ミュート回路４のトランジスタＱ１がオン状態となる。
【００４２】
この場合にも、メイン電源のオフ操作時の過渡応答区間で、電源スイッチ回路７から音響信号出力回路１及びアンプ２に出力されたパルスにより、音響信号出力回路１等からポップ音となる音響信号が出力されることがある。しかし、上記のように、音響ミュート回路４がオン状態となっているので、この音響信号は、グラウンドに流れて、出力端子３には流れない。それ故、スピーカ等の音響出力手段からポップ音が出力されることはない。
【００４３】
上記実施の形態の第１例では、音響ミュート駆動回路５と音響ミュート電源回路６の制御を別々に行っている。従って、第１例は、各オーディオチャンネル毎に音響ミュートを異なるタイミングで行ったり、又は、音響ミュート電源回路６とシステムコントローラ８の電源電圧が相違する場合等に適用できる。
【００４４】
〔実施の形態の第２例〕
図７〜図１０は本発明の実施の形態の第２例を示し、音響ミュート電源回路６が省略されると共に、音響ミュート駆動回路５のトランジスタＱ２が単一とされている。そして、トランジスタＱ２のエミッタにメイン電源がダイオードＤ１を介して接続され、そのベースに、抵抗Ｒ３、ダイオードＤ２を介して、システムコントローラ８が接続されている。尚、ダイオードＤ１のカソードがトランジスタＱ２に接続され、ダイオードＤ２のカソードがシステムコントローラ８に接続されている。
【００４５】
実施の形態の第２例では、システムコントローラ８から負電圧のミュート制御信号が出力されない場合に、音響ミュート駆動回路５のトランジスタＱ２がオン状態となって、音響ミュート回路４にハイレベルのミュート信号を出力する。
【００４６】
次に、オーディオ機器の制御のフローチャートについて、図８〜図１０に基づき説明する。
【００４７】
まず、図８において、メイン電源がオン操作されると、ステップＳ１では、システムコントローラ８からのミュート制御信号により、音響ミュート駆動回路５がオン操作され、ミュート信号が音響ミュート回路４に出力されて、音響ミュート回路４がオン操作され、音響信号出力回路１からの音響信号が音響出力手段に出力されない状態となって、ステップＳ２に移る。
【００４８】
ステップＳ２では、上記状態からシステムコントローラ８のタイマーがスタートして、経過時間ｔｓがスタートし、ステップＳ３に移る。ステップＳ３では、経過時間ｔｓが計測されて、ステップＳ４に移る。ステップＳ４では、システムコントローラ８により、経過時間ｔｓと第１設定時間ｔ１が比較され、経過時間ｔｓが第１設定時間ｔ１と同じか、第１設定時間ｔ１よりも大であると、ステップＳ５に移り、そうでない場合には、ステップＳ３に戻る。
【００４９】
ステップＳ５では、システムコントローラ８からのミュート制御信号の出力が停止されて、音響ミュート駆動回路５がオフ操作され、音響ミュート回路４へのミュート信号の出力が停止されて、音響ミュート回路４がオフ操作され、スタンバイモードとなる。
【００５０】
図９において、スタンバイモードが解除されると、ステップＳ１では、システムコントローラ８からのミュート制御信号により、音響ミュート駆動回路５がオン操作されて、音響ミュート回路４がオン状態となり、音響信号出力回路１からの音響信号が音響出力手段に出力されない状態となり、ステップＳ２に移る
【００５１】
ステップＳ２では、上記状態からシステムコントローラ８のタイマーがスタートして、経過時間ｔｓがスタートし、ステップＳ３に移る。ステップＳ３では、経過時間ｔｓが計測されて、ステップＳ４に移る。ステップＳ４では、システムコントローラ８により、経過時間ｔｓと第２設定時間ｔ２が比較され、経過時間ｔｓが第２設定時間ｔ２と同じか、第２設定時間ｔ２よりも大であると、ステップＳ５に移り、そうでない場合には、ステップＳ３に戻る。
【００５２】
ステップＳ５では、システムコントローラ８からの電源制御信号により、電源スイッチ回路７が操作されて、ステップＳ６に移る。ステップＳ６では、電源スイッチ回路７から音響信号出力回路１及びアンプ２等に給電されて、各回路の初期化処理が行われると共に、各回路の動作が開始され、音響信号出力回路１からの音響信号が音響出力手段に出力可能とされて、音響再生可能となる。
【００５３】
図１０において、スタンバイモードに復帰すると、ステップＳ１で、システムコントローラ８から音響ミュート駆動回路５にミュート制御信号が出力されているか、否かが判断される。ＹＥＳであれば、ステップＳ３に移り、ＮＯであれば、ステップＳ２に移る。ステップＳ２では、システムコントローラ８から音響ミュート駆動回路５にミュート制御信号が出力されて、ステップＳ３に移る。
【００５４】
ステップＳ３では、音響信号出力回路１、アンプ２等の各回路の停止処理が行われて、ステップＳ４に移る。ステップＳ４では、システムコントローラ８からの電源制御信号の出力が停止されて、音響信号出力回路１、アンプ２等への給電が停止され、ステップＳ５に移る。ステップＳ５では、上記状態からシステムコントローラ８のタイマーがスタートして、経過時間ｔｓがスタートし、ステップＳ６に移る。ステップＳ６では、経過時間ｔｓが計測されて、ステップＳ７に移る。
【００５５】
ステップＳ７では、システムコントローラ８により、経過時間ｔｓと第３設定時間ｔ３が比較され、経過時間ｔｓが第３設定時間ｔ３と同じか、第３設定時間ｔ３よりも大であると、ステップＳ８に移り、そうでない場合には、ステップＳ６に戻る。ステップＳ８では、システムコントローラ８からのミュート制御信号の出力が停止されて、音響ミュート駆動回路５がオフ操作され、音響ミュート回路４がオフ操作されて、スタンバイモードに復帰する。
【図面の簡単な説明】
【００５６】
【図１】本発明の実施の形態の第１例を示すブロック図である。
【図２】図１の回路図である。
【図３】図２の制御方法を示すフローチャートである。
【図４】図２の制御方法を示すフローチャートである。
【図５】図２の制御方法を示すフローチャートである。
【図６】図２の各所の信号レベルを示す波形図である。
【図７】本発明の実施の形態の第２例を示す回路図である。
【図８】図７の制御方法を示すフローチャートである。
【図９】図７の制御方法を示すフローチャートである。
【図１０】図７の制御方法を示すフローチャートである。
【符号の説明】
【００５７】
１  音響信号出力回路
４  音響ミュート回路
５  音響ミュート駆動回路
６  音響ミュート電源回路
８  システムコントローラ（制御手段）
【図１】
2007336310.tif 000003
【図２】
2007336310.tif 000004
【図３】
2007336310.tif 000005
【図４】
2007336310.tif 000006
【図５】
2007336310.tif 000007
【図６】
2007336310.tif 000008
【図７】
2007336310.tif 000009
【図８】
2007336310.tif 000010
【図９】
2007336310.tif 000011
【図１０】
2007336310.tif 000012